(57)【特許請求の範囲】
【請求項１】
記録担体の入射面を通って入射する放射線ビームによって記録層上のトラックにマークを書き込むことにより情報を記録するための書き込み可能なタイプの記録担体であって、前記マークは前記放射線ビームによる前記トラックの走査の間に検出可能であり、前記記録担体は、
少なくとも第１の記録層及び第２の記録層を有し、前記第１の記録層は前記第２の記録層よりも前記入射面に近い位置に存在し、
前記記録担体は更に、前記記録層間に透明なスペーサ層を有し、
各前記記録層は、前記トラックの位置を示すプリグルーブを有し、前記プリグルーブは、前記トラックの長さ方向に対する横方向における前記プリグルーブの変位によって構成されるウォブルを呈し、前記ウォブルは、制御情報を表すウォブル変調を呈し、
前記第１の記録層上のプリグルーブが第１の方向に螺旋状に延在し、前記第２の記録層上のプリグルーブが前記第１の方向とは逆の第２の方向に螺旋状に延在し、これらプリグルーブが中間ゾーンにより分離された多部分の記録エリアを構成し、前記中間ゾーンは、前記第１の記録層の末尾に配置された第１の中間部分と、前記第２の記録層の先頭に配置された第２の中間部分とによって物理的に構成され、前記記録エリアは、前記第１の記録層の先頭に配置されたリードインゾーンによって先行され、且つ前記第２の記録層の末尾に配置されたリードアウトゾーン又は他の中間ゾーンから成る末尾部分によって後続され、
前記リードインゾーン内の前記プリグルーブの前記ウォブルは、前記第１の記録層上の前記トラックに情報を記録するための記録処理の記録パラメータを含む第１の制御情報を表すウォブル変調を呈し、
前記末尾部分内の前記プリグルーブの前記ウォブルは、前記第２の記録層上の前記トラックに情報を記録するための記録処理の記録パラメータを含む第２の制御情報を表すウォブル変調を呈し、
前記第２の記録層上の前記末尾部分は、ほぼ、前記第１の記録層上の前記リードインゾーンの終了径位置に対応する径位置と、前記第１の記録層上の前記リードインゾーンの開始径位置に対応する径位置との間に配置される記録担体。
【請求項２】
前記第１の記録層における前記終了径位置は、前記第２の記録層における、前記第２の制御情報を表す前記プリグルーブの前記ウォブルの前記ウォブル変調が開始する径位置に対応する、請求項１に記載の記録担体。
【請求項３】
放射線ビームによって請求項１に記載の記録担体上のトラックを走査する装置であって、前記放射線ビームは前記記録担体の入射面を通って入射し、前記装置は、
前記放射線ビームを供給するためのヘッドと、
前記放射線ビームによって前記トラックにマークを書き込むための記録手段と、
前記トラックにおけるマークを検出するための走査信号を生成するためのフロントエンドユニットと、
前記リードインゾーン内の前記プリグルーブの前記ウォブルの前記ウォブル変調から前記第１の制御情報を取得し、前記第２の記録層上の前記末尾部分内の前記プリグルーブの前記ウォブルの前記ウォブル変調から前記第２の制御情報を取得するウォブル検出手段と、
を有する装置。
【請求項４】
前記装置は、前記記録担体の挿入の後に初期化手順を実行するための制御ユニットを有し、前記初期化手順において、前記第１の制御情報が前記リードインゾーンに記録され、前記第２の制御情報が前記末尾部分に記録される、請求項３に記載の装置。
【請求項５】
前記装置は、前記記録担体の挿入の後に初期化手順を実行するための制御ユニットを有し、前記初期化手順において、前記第１の制御情報及び前記第２の制御情報が前記リードインゾーンに記録される、請求項３に記載の装置。
【請求項６】
前記装置は、前記記録担体の挿入の後に初期化手順を実行するための制御ユニットを有し、前記初期化手順において、前記第１の制御情報が前記リードインゾーンに記録され、前記第２の制御情報が前記リードインゾーンと前記末尾部分とに記録される、請求項３に記載の装置。
【請求項７】
前記装置は、前記記録担体の挿入の後に初期化手順を実行するための制御ユニットを有し、前記初期化手順において、前記第１の制御情報が前記リードインゾーンと前記末尾部分とに記録され、前記第２の制御情報が前記リードインゾーンと前記末尾部分とに記録される、請求項３に記載の装置。
【発明の詳細な説明】
【技術分野】
【０００１】
本発明は、トラックにマークを書き込むことにより情報を記録するための、書き込み可能なタイプの記録担体に関する。
【０００２】
本発明は更に、前記記録担体を走査する装置に関する。
【背景技術】
【０００３】
光記録担体及び走査装置は、国際特許出願公開WO00/43996より知られている。前記記録担体は、トラックの位置を示すための通常プリグルーブと呼ばれるガイドグルーブを有し、該トラックにおいて、光読み取り可能なマークを記録することにより所定の方法で情報が表現される。前記プリグルーブは、縦の走査方向に対して横方向における前記トラックの周期的な変位（以下、ウォブルと呼ぶ）によって曲折している。前記ウォブルは、例えば物理アドレス又は記録制御情報のような付加情報に従ってウォブル周期を位相反転させることによって、ウォブル変調を有する。走査装置は、前記トラックを走査するため放射のビームを生成するヘッドを備える。前記マークは、前記走査の間、前記走査される表面の反射率の変化によって検出される。反射される放射の強度の変化は、主検出システムによって検出される。更に走査装置は、前記トラックに対する前記ヘッドの空間的な逸脱を検出するため、前記プリグルーブに基づきトラッキングサーボ信号を生成するための副検出器を持つ。ウォブル変調は、前記副検出器によって検出され、前記物理アドレス情報を取得するために復調される。前記ウォブル変調はまた、記録処理のパラメータを制御するための記録制御情報をエンコードするために利用される。例えばＤＶＤ＋ＲＷ（Digital Versatile Disc ReWritable）においては、特定の記録速度におけるレーザ書き込みパワー値のような記録パラメータが、プリグルーブのリードイン部分にエンコードされる。しかしながら、ウォブル変調のデータ容量は限られており、現在の及び将来の高密度の複雑な記録処理のために必要な記録制御情報の量は、とりわけ多層記録担体について増大している。
【発明の開示】
【発明が解決しようとする課題】
【０００４】
それ故本発明の目的は、付加的な制御情報を収録するための記録担体及び走査装置を提供することにある。
【課題を解決するための手段】
【０００５】
本発明の第１の態様によれば、本目的は、記録担体の入射面を通って入射する放射のビームによって記録層上のトラックにマークを書き込むことにより情報を記録するための書き込み可能なタイプの記録担体であって、前記マークは前記ビームによる前記トラックの走査の間に検出可能であり、前記記録担体は、少なくとも第１の記録層及び第２の記録層を有し、前記第１の記録層は前記第２の記録層よりも前記入射面に近い位置に存在し、前記記録担体は更に、前記記録層間に透明なスペーサ層を有し、各前記記録層は、前記トラックの位置を示すプリグルーブを有し、前記プリグルーブは、前記トラックの長さ方向に対する横方向における前記プリグルーブの変位によって構成されるウォブルを呈し、前記ウォブルは、制御情報を表すウォブル変調を呈し、前記第１の記録層上のプリグルーブが第１の方向に螺旋状に延在し、前記第２の記録層上のプリグルーブが前記第１の方向とは逆の第２の方向に螺旋状に延在し、これらプリグルーブが中間ゾーンにより論理的に分離された２つの部分の記録エリアを構成し、前記中間ゾーンは、前記第１の記録層の末尾に配置された第１の中間部分と、前記第２の記録層の先頭に配置された第２の中間部分とによって物理的に構成され、前記記録エリアは、前記第１の記録層の先頭に配置されたリードイン情報によって先行され、且つ前記第２の記録層の末尾に配置されたリードアウト情報又は更なる中間情報のための末尾部分によって後続され、前記リードイン情報を記録するための前記第１の記録層の一部に配置されたプリグルーブのリードイン部分は、前記第１の記録層についての記録パラメータを含む第１の制御情報を表すウォブル変調を有し、前記末尾部分は、前記第２の記録層についての記録パラメータを含む第２の制御情報を表すウォブル変調を有する記録担体によって達成される。
【０００６】
本発明の第２の態様によれば、本目的は、放射のビームによって記録担体上のトラックを走査する装置であって、前記ビームを供給するためのヘッドと、前記ビームによって前記トラックにマークを書き込むための記録手段と、前記トラックにおけるマークを検出するための走査信号を生成するためのフロントエンドユニットと、前記第１の記録層におけるウォブル変調から前記第１の制御情報を取得し、前記末尾部分の位置を決定して前記第２の記録層におけるウォブル変調から前記第２の制御情報を取得するウォブル検出手段と、を有する装置によって達成される。
【０００７】
本方法の効果は、各層についての制御情報がそれぞれの層に収録され、それ故各層について利用可能なデータ容量が同程度となり、層の数が増えた場合でも共有される必要がないという点である。このことは、多くの記録パラメータが各層に保存されることができるという利点を持つ。
【０００８】
本発明はまた以下の認識に基づく。現代の高密度記録処理は、特定のブランドの記録担体用に、多くのパラメータが規定され調節されることを必要とする。かような制御情報は従来、プリグルーブのリードイン部分に配置されている。記録装置は最初に前記リードイン部分を読み取り、前記制御情報を取得する。本発明者は、とりわけ異なる層における幾つかの物理記録エリアによって構成される単一の論理記録スペースを持つように定義された多層記録担体において、前記リードイン部分において利用可能なデータ容量は限られることを認識した。各層は１つの物理記録エリアを持ち、第１の層はリードイン部分で始まり、最後の層はリードアウト部分で終わり、前記記録スペースは中間ゾーンによって物理的に中断される。隣り合う層のトラックは逆行トラックパス（opposite track path、ＯＴＰ）を持つ。例えば、螺旋の方向が第１の層においては外向きであり、次の層においては内向きである。これにより、ヘッドによる大きな径方向のジャンプなく層から層へトラックを連続的に走査することを可能とする。かようなＯＴＰ記録担体においては、１つだけリードインエリアがある。本発明者は、前記第１の層についての記録制御情報のみを前記リードイン部分に配置し、他の層についての記録制御情報を第２の層のリードアウト部（又は一般的に言えば、２層より多い層を持つ記録担体については、前記第１の層のリードイン部分に径方向に対応する、他の層の末尾部）に配置した。
【０００９】
前記記録担体の実施例においては、前記プリグルーブのリードイン部分は、前記第１の記録層において開始径位置から終了径位置まで延在し、前記第２の制御情報を有する前記プリグルーブの末尾部分のエリアは、前記終了径位置に対応する径位置と前記開始径位置に対応する径位置との間に略配置される。このことは、第１の制御情報を取得した後に、かなりの径方向のジャンプなく、装置が容易に第２の層に切り換え、前記第２の制御情報を取得することができるという利点を持つ。とりわけ、前記第１の記録層における前記終了径位置が、前記第２の記録層における、前記第２の制御情報を表すウォブル変調が開始する径位置に略対応する場合には、径方向のジャンプは必要とされない。
【００１０】
実施例においては、前記装置は、前記記録担体の挿入の後に初期化手順を実行するための制御ユニットを有し、前記初期化手順において、前記第１の制御情報が前記リードイン部分に記録され、前記第２の制御情報が前記末尾部分に記録される。このことは、前記記録担体が再び装置に挿入された場合に、スタートアップのために必要とされる時間がかなり短縮されるという利点を持つ。なぜならウォブル変調は、通常高周波（ＨＦ）データと呼ばれる、前記マークによって書き込まれるデータに比べて、非常に低いデータ容量を持つからである。
【００１１】
本発明による装置の更なる好適な実施例は、更なる請求項において与えられる。
【００１２】
本発明のこれらの及び他の態様は、以下の説明において例として記載される実施例を参照しながら、及び添付する図を参照しながら、更に説明され明らかとなるであろう。図において、既に説明された要素の対応する要素は同一の参照番号を持つ。
【発明を実施するための最良の形態】
【００１３】
図１ａは、トラック９と中央穴１０とを持つディスク型の記録担体１１を示す。トラック９は、記録層上に略平行なトラックを構成する巻の螺旋パターンに従って配置される。前記記録担体は、記録可能なタイプの情報層を持つ光ディスクであっても良い。記録可能なディスクの例は、ＣＤ−Ｒ及びＣＤ−ＲＷ並びにＤＶＤ＋ＲＷである。記録可能なタイプの記録担体上のトラック９は、例えばプリグルーブのような、ブランクの記録担体の製造の間に備えられる予めエンボスされたトラック構造によって示される。記録された情報は前記情報層において、前記トラックに沿って記録された光検出可能なマークによって前記情報層上に表される。前記マークは、第１の物理パラメータの変化によって構成され、これにより周囲と異なる光学特性を持つ。前記マークは、例えば反射率の変化のような、反射ビームの変化によって検出可能である。
【００１４】
図１ｂは、記録可能なタイプの記録担体１１の線ｂ−ｂに沿ってとられた断面図である。ここで、透明な基板１５が、記録層１６及び保護層１７を備える。プリトラック構造が例えばプリグルーブ１４によって構成され、走査の間読み取り／書き込みヘッドがトラック９を追従することを可能とする。プリグルーブ１４は、窪み又は隆起として実装されても良いし、前記プリグルーブの物質とは異なる光学特性を持つ物質から成っても良い。前記プリグルーブは、走査の間読み取り／書き込みヘッドがトラック９に追従することを可能とする。トラック構造はまた、周期的にサーボ信号を発生させる規則的に延在するサブトラックによって形成されても良い。前記記録担体は、例えばビデオ又はオーディオ情報のようなリアルタイム情報を担持するように意図されても良いし、又はコンピュータデータのような他の情報を担持するように意図されても良い。
【００１５】
図１ｃは、前記トラックのウォブルの例を示す。本図は、ウォブルとも呼ばれる、前記トラックの横方向の位置の周期的な変化を示す。前記変化は、例えば走査装置のヘッドにおける中央スポットで部分検出器によって生成されるプッシュプルチャネルにおいて、付加的な信号が副検出器に生じるようにする。前記ウォブルは例えば周波数変調され、位置情報が該変調にエンコードされる。かような方法でエンコードされたディスク情報を有する書き込み可能なＣＤシステムにおける、図１ｃに示されたような先行技術のウォブルの包括的な記載は、米国特許US4,901,300（PHN12398）及び米国特許US5,187,699（PHQ88002）において見出される。
【００１６】
走査による読み出しの間、トラッキングサーボ信号を生成するための検出器セグメント又は付加的な検出器により検出可能な放射ビームの断面における強度の変化のような、放射の第２のタイプの変化を介して、ウォブル変調が検出可能である。トラッキングサーボシステムのためのウォブルの検出は、上述のＣＤ−Ｒ及びＣＤ−ＲＷシステムから良く知られている。ウォブル変調は、例えば図６において示されるように、物理アドレスをエンコードするために利用され、ウォブル復調は図７に示される。
【００１７】
ユーザデータは、例えばＣＤ又はＤＶＤのチャネルコーディング方式に従って、チャネルビットと呼ばれる単位で、離散的な長さを持つマークによって前記記録担体に記録される。前記マークは、整数個のチャネルビット長Ｔに対応する長さを持つ。利用される最も短いマークは、所定の最小の数ｄ個のチャネルビット長Ｔの長さを持ち、これにより通常凡そ前記最も短いマークの長さと等しい有効径を持つ前記トラック上の走査スポットによって検出可能である。
【００１８】
本発明によれば、前記記録担体は、図３及び４を参照しながら詳細に議論されるような記録制御情報をエンコードするためのウォブル変調を各層に持つ、多層記録担体である。前記記録制御情報をエンコードするウォブル変調は、図１ａにおいてエリア１２によって模式的に示される。実用的な環境においては、前記記録制御情報は、前記トラックの多数の巻、即ち開始径位置から終了径位置までの環状のエリアを構成するエンコードされたエリアを利用してエンコードされることに留意されたい。実施例においては、前記記録制御情報は繰り返し記録される。即ち、前記ウォブル変調を持つエリアは、記録制御パラメータの多数のコピーを含む。
【００１９】
図２は、記録担体の異なる層から記録制御情報を取得するための走査装置を示す。前記装置は記録担体１１上のトラックを走査する手段を備える。該手段は、記録担体１１を回転させるための駆動ユニット２１、ヘッド２２、前記トラックにヘッド２２を位置決めするためのサーボユニット２５、及び制御ユニット２０を含む。ヘッド２２は、放射ビーム２４を生成するための、既知のタイプの光学系を有する。放射ビーム２４は、光学素子を通して誘導され、前記記録担体の情報層のトラック上の放射スポット２３にフォーカスされる。放射ビーム２４は、例えばレーザダイオードのような放射源によって生成される。前記ヘッドは更に、（図示されていないが）前記ビームの光軸に沿って放射ビーム２４のフォーカスを移動させるためのフォーカスアクチュエータと、前記トラックの中心へのスポット２３の径方向の詳細な位置決めのためのトラッキングアクチュエータとを有する。前記トラッキングアクチュエータは、光学素子を径方向に移動させるためのコイルを有しても良く、又は代替として反射素子の角度を変化させるように構成されても良い。前記フォーカスアクチュエータ及びトラッキングアクチュエータは、サーボユニット２５からのアクチュエータ信号によって駆動される。読み取りのため、前記情報層により反射された放射が、例えば４象限ダイオードのような、ヘッド２２中の通常のタイプの検出器によって検出される。これにより、主走査信号３３とトラッキング及びフォーカスのためのエラー信号３５とを含む種々の走査信号を生成するためのフロントエンドユニット３１に結合される検出器信号を生成する。エラー信号３５は、前記トラッキングアクチュエータ及びフォーカスアクチュエータを制御するために、サーボユニット２５に結合される。エラー信号３５はまた、ウォブル変調から物理アドレス及び他の制御情報を取得するために、プリトラック復調ユニット３２に結合される。ウォブル変調検出の詳細な実施例は、図７に示される。主走査信号３３は、情報を取得するため、復調器、デフォーマッタ及び出力ユニットを含む、通常のタイプの読み取り処理ユニット３０によって処理される。
【００２０】
前記装置は、例えばＣＤ−Ｒ若しくはＣＤ−ＲＷ又はＤＶＤ＋ＲＷ若しくはＢＤのような、書き込み可能な又は再書き込み可能なタイプの記録担体に情報を記録するための記録手段を備える。前記記録手段は、書き込みビームの放射を生成するためヘッド２２及びフロントエンドユニット３１と協働し、ヘッド２２を駆動するために書き込み信号を生成するため、入力情報を処理する書き込み処理手段を有する。前記書き込み処理手段は、入力ユニット２７、フォーマッタ２８及び変調器２９を有する。情報を書き込みため、前記ビームの放射は、記録層に光検出可能なマークを生成するように制御される。前記マークは光読み取り可能ないずれの形態であっても良く、例えば色素、合金又は相変化物質のような物質において記録される場合に得られる、周囲とは異なる反射係数を持つエリアの形態であっても良く、又は光磁気物質において記録される場合に得られる、周囲と異なる偏光の方向を持つエリアの形態であっても良い。
【００２１】
光ディスクへの記録のための情報の書き込み及び読み取り及びフォーマット化、エラー訂正、並びにチャネル符号化規則は、例えばＣＤ又はＤＶＤシステムから、本分野においては良く知られている。実施例においては、入力ユニット２７は、アナログオーディオ及び／又はビデオ又はディジタルの圧縮されていないオーディオ／ビデオのような入力信号のための圧縮手段を有する。適切な圧縮手段はビデオについてＭＰＥＧ規格において記載されており、ＭＰＥＧ−１がＩＳＯ／ＩＥＣ１１１７２において定義され、ＭＰＥＧ−２がＩＳＯ／ＩＥＣ１３８１８において定義されている。前記入力信号は代替として、かような規格に従って既にエンコードされていても良い。
【００２２】
制御ユニット２０は、情報の記録及び取得を制御し、ユーザから又はホストコンピュータからコマンドを受信するように構成されても良い。制御ユニット２０は、例えばシステムバスのような制御線２６を介して、前記装置中の他のユニットに接続される。制御ユニット２０は、以下に説明するような処理及び機能を実行するための、例えばマイクロプロセッサのような制御回路、プログラムメモリ及びインタフェースを有する。制御ユニット２０は、論理回路における状態機械として実装されても良い。実施例においては、前記制御ユニットは、プリグルーブから前記制御情報を取得し、主データのようにマークを書き込むことにより前記取得された制御情報を前記トラックに記録する機能を実行する。かようなデータは、プリグルーブにエンコードされた制御情報よりもかなり高速に取得されることができる。幾つかの有利なオプションが以下に示される。
【００２３】
図３は、多層光ディスクを示す。Ｌ０は第１の記録層４０であり、Ｌ１は第２の記録層４１である。第１の透過層４３は前記第１の記録層をカバーし、透明なスペーサ層４２が記録層４０と記録層４１とを離隔し、基板４４が第２の記録層４１の下に示されている。第１の記録層４０は、第２の記録層４１よりも、前記記録担体の入射面４７に近い位置に配置される。Ｌ０層にフォーカスされた第１の状態４５のレーザビームが示され、またＬ１層にフォーカスされた第２の状態４６のレーザビームが示される。各記録層は、補助制御情報をエンコードするプリグルーブのウォブル変調を持つ。
【００２４】
多層ディスクは、ＤＶＤ−ＲＯＭ又はＤＶＤ−Ｖｉｄｅｏのような読み取り専用の予め記録されたディスクとして既に利用可能である。２層ＤＶＤ＋Ｒディスクは最近提案され、該ディスクは好ましくは２層ＤＶＤ−ＲＯＭ規格に準拠するべきである。両方の層の反射レベルは１８％以上である。Ｌ０層は、約５０乃至７０％の透過率を持つ。スペーサ層は、これらの層を３０μｍと６０μｍとの間の典型的な厚さで分離する。Ｌ１層は高い反射率を持ち、非常に敏感である必要がある。再書き込み可能な２層ディスクも提案されている。Ｌ０層は約４０乃至６０％の透過率を持つ。両方の層の実効反射率は典型的には７％であるが、より低い及びより高い値が可能である（３％乃至１８％）。３層以上の記録層を持つ書き込み可能及び再書き込み可能な光記憶媒体も検討されている。
【００２５】
２層ディスクに存在する２つの情報記憶層は一般に、異なる物理的な特性を持つ。２つの層の間の明らかな差は、反射率及び透過率である。より深い層Ｌ１にアクセスすることを可能とするため、上位層Ｌ０は前記レーザの波長において十分に透明であるべきである。また、より深い層Ｌ１から十分な読み出し信号を得るため、該層は前記レーザの波長においてかなり反射性であるべきである。他の物理的な差は積層構造（インバーテッド（inverted）又は通常構造）、グルーブの深さ、積層設計等である。Ｌ０とＬ１との異なる物理特性の結果は、ドライブに知られているべき重要なパラメータ（例えば書き込み戦略（タイプ又はパラメータ）、書き込みパワー、目標のβ等）が、一般に２つの層について異なるという点である。これらパラメータは、適切な記録の遂行やディスクの取り扱い等を確実にするため、ドライブに知られている必要がある。それ故、かような「ディスク情報」は、（未記録）ディスクに物理的に保存される。単層ディスクについては、かようなデータを保存するための既知の方法は、ウォブルの変調、プリピット、チップ・イン・ディスク（chip-in-disc）等である。単層ディスクについては一般に、前記ディスク情報は、ディスクのリードインゾーンのどこかに配置される。その理由は、ドライブが内側の半径の近く、即ちリードインゾーンにおいてディスクにアクセスし、前記ディスク情報は即座に読み取られるため、スタートアップ手順における遅延を最小化することができるからである。必要とされるＤＶＤ−ＲＯＭ規格のような既存の読み取り専用の標準化された記録担体との互換性のため、ＤＶＤタイプの２層記録可能（又は再書き込み可能）ディスクについては、ディスクのレイアウトについて２つの選択肢がある。これら２つの選択肢は、「平行トラックパス（parallel track path、ＰＴＰ）」及び「逆行トラックパス（opposite track path、ＯＰＴ）」と呼ばれ、両方の層における螺旋の方向を示す。ＰＴＰディスクにおいては、層ごとに１つの情報ゾーン（全体で２つ）があり、ＯＴＰディスクにおいては、２つの層に渡って延在する１つの情報ゾーンがある。
【００２６】
図４は、逆行トラックパス記録担体を模式的に示す。横方向の矢印５１は径位置（外側に向けて増大）を示し、縦方向の矢印５２は物理アドレス、即ちセクタ番号を示す。線４９は、外側に向かって増大するＬ０層４０上のアドレスを示し、線５０は、内側に向かって増大するＬ１層４１上のアドレスを示す。前記記録ゾーンは、Ｌ０上に第１のデータゾーン５４を持ち、Ｌ１上に第２の部分５７を持ち、中間ゾーンによって中断される。前記中間ゾーンは、記録Ｌ０層４０の末尾における第１の中間ゾーン５５と、Ｌ１記録層４１の（トラック方向における）先頭における第２の中間ゾーン５６とによって構成される。データゾーン５４及び５７中の矢印は、螺旋方向を示す。前記記録ゾーンは、Ｌ０記録層の先頭においてリードインゾーン５３によって先行され、Ｌ１記録層の末尾においてリードアウトゾーン５８によって終わる。２層よりも多い層を持つ多層ディスクは、第２の記録層の末尾に第３の中間エリアを持ち、第３の記録層の先頭に第４の中間エリアを持つ等し得ることに留意されたい。リードアウトゾーンは最後の記録層の終わりに位置する。前記第１の記録層上のリードインゾーンに径方向に対応する他の各層のそれぞれの中間部分又はリードアウト部分は、末尾部分と呼ばれる。本発明によれば、各層についての記録制御情報は、それぞれの層の末尾部分におけるプリグルーブのウォブルにエンコードされる。以下、２層ディスクの「下位層」が本発明を説明するために利用され、２層より多い層を持つディスクの場合における下位層を含むものとみなされる。
【００２７】
２層ディスクについては１つの論理的な情報ゾーンが存在し、それ故Ｌ０上に配置されたリードインゾーンが１つだけ存在する。該リードインゾーンの記憶容量は、単層ディスクについてのものと（略）同じである。しかしながら、少なくとも２倍のディスク情報が保存される必要がある。そのため、２層記録担体における情報ゾーンのリードアウトゾーンが利用される。該リードアウトゾーンにおいて利用可能な容量は、Ｌ１についてのディスク情報を保存することを可能とする（Ｌ０についてのディスク情報は、Ｌ０上のリードインゾーンに留まる）。単層ディスクについては、リードアウトゾーンが記録層の外周部に配置され、ディスク情報を含まないことに留意されたい。
【００２８】
図５は、リードイン部分及びリードアウト部分用の対応する径位置を持つ逆行トラックパス記録担体を模式的に示す。プリグルーブのリードイン部分６８は、Ｌ０記録層４０において、開始径位置６６から終了径位置６７まで延在する。前記第２の層についての制御情報を有するリードアウトのエリアは、終了径位置６７に対応する径位置と、開始径位置６６に対応する径位置との間に配置される。第２の記録制御情報をエンコードするために利用されるリードアウト部分は、前記リードイン部分よりも小さいか又は前記リードイン部分と等しくても良いことに留意されたい。とりわけ、前記第１の記録層における終了径位置６７は、前記第２の制御情報を表すウォブル変調が開始する、前記第２の記録層における径位置に略対応する。それ故、前記リードイン部分の読み取りの終了時における層ジャンプの後、エンコードされたＬ１記録層４１の記録制御情報の先頭に、前記ビームが即座に直ぐ近くに位置決めされる。それ故本方法は、スタートアップの間の付加的な遅延をもたらさない。最後に、ＯＴＰディスクについては、Ｌ１における螺旋の方向は、外側から内側であることは留意されるべきである。このことは、Ｌ１において、前記ディスク情報（及び一般にいずれのデータも）が、大きな半径から始まり、小さな半径の方へ螺旋状に進むことを意味する。このことはＬ０における状況とは逆であり、Ｌ０においてはデータが小さな半径において始まり、大きな半径の方向に螺旋状に進む。
【００２９】
記録装置においては、前記記録担体のそれぞれの記録層から制御情報を取得するように制御ユニットが構成される。実施例においては、前記記録担体の初期化は、前記トラックに通常高周波（ＨＦ）データと呼ばれるマークを書き込むことによって、ディスク制御情報を制御データにコピーすることによって実行される。前記制御情報は、例えば図６を用いて説明されるようなＡＤＩＰのように、ウォブル変調を利用してエンコードされる。ＡＤＩＰにおいて利用可能な低いビット密度のため、ＡＤＩＰからのディスク情報の読み取りは非常に時間を消費するものとなる。この理由のため、記録可能／再書き込み可能ＤＶＤディスクが初期化される：前記ディスク情報が、制御データゾーンにおける「制御データ」としてドライブによってコピーされる。前記制御データゾーンは、リードインゾーン中に配置される。ＡＤＩＰビット密度に比べたＨＦ信号の高いビット密度のため、このことは前記ドライブにディスクが別の時に挿入されたときのディスク情報の収集を高速化する。
【００３０】
更に、ＨＦ信号の高いビット密度のため、前記制御データゾーンに複数回（＞１回）制御データをコピーすることが可能である。このことはまた、スタートアップ手順を高速化し、制御データの読み取りの間のエラーの可能性を低減するという利点を持つ。２層記録可能／再書き込み可能ＤＶＤ媒体の場合については、最適な初期化手順は以下の通りである。
【００３１】
実施例においては、Ｌ０上のリードインのＡＤＩＰにおいて利用可能なディスク情報は、前記ドライブによってＬ０のリードインに制御データとしてコピーされる。Ｌ１上のリードアウトのＡＤＩＰにおいて利用可能なディスク情報は、前記ドライブによってＬ１のリードアウトに制御データとしてコピーされる。本処理は、最初にディスクがドライブに挿入された時に実行されるべきである。このことは、ディスクが完全に充填されていない場合であっても、Ｌ１上のリードアウト（の一部）が記録されるべきであることを意味する。
【００３２】
実施例においては、Ｌ０及びＬ１から利用可能なディスク情報は、両方の層においてコピーされる。このことは、ＨＦにおいて利用可能なＡＤＩＰに比べて高い記憶密度により可能である。Ｌ０におけるＡＤＩＰから利用可能なディスク情報に加え、Ｌ１におけるＡＤＩＰから利用可能なディスク情報が、Ｌ０上の制御データにコピーされる。加えて、又は代替として、Ｌ０におけるＡＤＩＰから利用可能なディスク情報に加え、Ｌ１におけるＡＤＩＰから利用可能なディスク情報が、Ｌ１上の制御データにコピーされる。後者の方法は、アクセスの間に捕捉された前記層（０又は１）に関係なく、前記ドライブが即座にＬ０及びＬ１の両方についての前記制御データを読み取ることができるという利点を持つ。
【００３３】
図６は、ウォブル変調におけるＡＤＩＰ情報を示す。前記ウォブル変調は、ＤＶＤ＋ＲＷシステムにおいて、アドレス・イン・プリグループ（Address In Pregroove、ＡＤＩＰ）と呼ばれる付加情報をエンコードする。各ＡＤＩＰビット６５は、ＡＤＩＰワードシンクフィールド（３ウォブル周期）によって後続されるＡＤＩＰビットシンク（３２個のチャネルビットに対応する１ウォブル周期６４）と、最後に８５個の単調（即ち変調されていない）ウォブル周期によって後続される４個のウォブル周期のＡＤＩＰデータビットフィールドとによって構成される。本図は、ＡＤＩＰワードシンクとしてエンコードされる第１のウォブル６１を示す。第１のウォブル６１において、ワードシンクフィールドは反転されたウォブルを持ち、データビットフィールドは変調されていないウォブルを持つ。第２のウォブル６２は、データビット値０をエンコードし、第３のウォブル６３は、値１のデータビットをエンコードする。
【００３４】
図７はウォブル復調ユニットを示す。入力ユニット７１は、前記トラックを走査する前記ヘッドから得られたプッシュプル信号を供給する。フィルタ７２は、ウォブル周波数を分離しウォブル信号を生成するため、ハイパス及びローパスフィルタによって前記信号をフィルタリングする。位相ロックループ７３は前記ウォブル周波数にロックされ、チャネルビットの単位にマークを記録するため、３２倍器７５によって同期書き込みクロックを生成する。同期ウォブルユニット７４は、ウォブルクロック周期を乗算器７６に供給し、乗算器７６もまた前記ウォブル信号を受信する。乗算器７６の出力は、積分及びダンプユニット７７において積分される。積分及びダンプユニット７７の出力は、シンク閾値検出器７８へのサンプルスイッチを介してサンプリングされる。シンク閾値検出器７８は、ＡＤＩＰビットシンクを検出するＡＤＩＰビット同期装置に結合される。第２の乗算器８１は、２つの反転されたウォブルと２つの反転されていないウォブルとを持つ４ウォブル周期信号を供給され、また４個のウォブル周期に渡る同期検出のため第２の入力部において前記ウォブル信号を供給される。第２の積分及びダンプユニット８２は、乗算器８１の出力信号を積分し、ビット値閾値検出器８３がエンコードされたビットの値を検出する。パワー制御情報は、ＡＤＩＰデータビットから取得されることができる。
【００３５】
本発明は主に反射率の変化に基づく光ディスクを利用した実施例によって説明されたが、本発明は書き込み可能な記録担体に予め適用されたパターンを持つ正方形の光カード、光磁気ディスク又は他のいずれのタイプの情報記憶システムのような、他の記録担体にも適している。本明細書において、「有する（comprising）」なる語は列記されたもの以外の要素又はステップの存在を除外するものではないこと、要素に先行する「１つの（a又はan）」なる語は複数のかような要素の存在を除外するものではないこと、いずれの参照記号も請求の範囲を限定するものではないこと、本発明はハードウェア及びソフトウェアの両方によって実装され得ること、及び幾つかの「手段」又は「ユニット」が同一のハードウェア又はソフトウェアによって表されても良いことに留意されたい。更に、本発明の範囲は実施例に限定されるものではなく、本発明は上述したそれぞれの及び全ての新規な特徴又は特徴の組み合わせに存する。
【図面の簡単な説明】
【００３６】
【図１（ａ）】ディスク型の記録担体（上面図）を示す。
【図１（ｂ）】記録担体の断面図を示す。
【図１（ｃ）】トラックのウォブルの例を示す。
【図２】記録担体の異なる層から制御情報を取得する装置を示す。
【図３】多層光ディスクを示す。
【図４】逆行トラックパス記録担体を模式的に示す。
【図５】リードイン部分及びリードアウト部分のための対応する径方向の位置を持つ逆行トラックパス記録担体を模式的に示す。
【図６】ウォブル変調におけるＡＤＩＰ情報を示す。
【図７】ウォブル復調ユニットを示す。
【図１ａ】
0004813352.tif 000002
【図１ｂ】
0004813352.tif 000003
【図１ｃ】
0004813352.tif 000004
【図２】
0004813352.tif 000005
【図３】
0004813352.tif 000006
【図４】
0004813352.tif 000007
【図５】
0004813352.tif 000008
【図６】
0004813352.tif 000009
【図７】
0004813352.tif 000010